(57)【要約】【課題】使用に際して、しっとり感、柔らかさなどの肌触り性に優れるとともに、頻繁に肌と接触させても肌がヒリヒリし難い、肌が赤くなり難い衛生用紙を提供する。【解決手段】１プライ当たりの米坪が１０〜３５ｇ／ｍ2とされ、かつ単位米坪当たりのソフトネスが５．４〜６．４ｍ2／１００とされ、パルプ基材紙に薬液を含有し、ＪＩＳ  Ｐ  ８１１１で規定する条件で調湿し、ＪＩＳ  Ｐ  ８１２７で測定した水分率が９．５０〜１５．００％であり、ＪＩＳ  Ｐ  ８１４１で規定するクレム吸水度試験に準じて、水を市販のサラダ油に置き換えて、ＪＩＳ  Ｐ  ８１１１で規定する標準条件下で測定した吸油度が、７．０ｍｍ以下の衛生用紙である。【選択図】なし【特許請求の範囲】
【請求項１】
１プライ当たりの米坪が１０〜３５ｇ／ｍ2とされ、かつ単位米坪当たりのソフトネスが５．４〜６．４ｍ2／１００とされ、
パルプ基材紙に薬液を含有し、
ＪＩＳ  Ｐ  ８１１１で規定する条件で調湿し、ＪＩＳ  Ｐ  ８１２７で測定した水分率が９．５０〜１５．００％であり、
ＪＩＳ Ｐ  ８１４１で規定するクレム吸水度試験に準じて、水を市販のサラダ油に置き換えて、ＪＩＳ Ｐ  ８１１１で規定する標準条件下で測定した吸油度が、７．０ｍｍ以下であることを特徴とする衛生用紙。
【請求項２】
前記薬液は、有効成分を６０〜１００重量％含み、かつ有効成分中に、保湿剤を９５．５〜９７．０重量％および柔軟剤を３．０〜４．５重量％含むものであり、
前記薬液のｐＨは５．０〜６．０であり、
前記柔軟剤はアニオン系界面活性剤、カチオン系界面活性剤、非イオン系界面活性剤及び両性イオン界面活性剤のなかから選択されたものであり、
前記薬液は、基材紙の単位容積当たり４６．０〜１６０．０ｍｇ／ｃｍ3含有されている、請求項１記載の衛生用紙。
【請求項３】
前記薬液が、さらに、ビタミンＥ及びビタミンＣを含有する請求項１または２記載の衛生用紙。
【発明の詳細な説明】
【技術分野】
【０００１】
本発明はティシュペーパー等の衛生用紙に関する。
【背景技術】
【０００２】
近時、柔軟剤等の薬液を含有させることにより肌触りを柔らかくした、いわゆる高級タイプのティシュペーパーが市販され、繰り返し鼻をかんでも肌がヒリヒリし難い、または鼻が赤くなり難いとして人気を呼んでいる。
【０００３】
しかしながら、従来の薬液含有衛生用紙では、肌のヒリヒリ感や肌が赤くなるのを防止する効果が十分でなかった。
【０００４】
すなわち、本発明者らが鋭意研究したところ、従来の薬液含有衛生用紙は、肌の角質層表面と接触すると当該表面の皮脂を取り去る作用がある。よって、かかる衛生用紙を肌の同一部分に対し頻繁に接触させると、衛生用紙により先ず皮脂が取り去られ、次いで皮脂の無くなったところから角質層内の水分が取り去られる。その結果、肌が荒れてしまい赤くなってしまうのである。
【発明の開示】
【発明が解決しようとする課題】
【０００５】
したがって、本発明の主たる課題は、使用に際して、しっとり感、柔らかさなどの肌触り性に優れるとともに、頻繁に肌と接触させても肌がヒリヒリし難い、肌が赤くなり難い衛生用紙を提供することにある。
【課題を解決するための手段】
【０００６】
＜請求項１記載の発明＞
１プライ当たりの米坪が１０〜３５ｇ／ｍ2とされ、かつ単位米坪当たりのソフトネスが５．４〜６．４ｍ2／１００とされ、
パルプ基材紙に薬液を含有し、
ＪＩＳ  Ｐ  ８１１１で規定する条件で調湿し、ＪＩＳ  Ｐ  ８１２７で測定した水分率が９．５０〜１５．００％であり、
ＪＩＳ Ｐ  ８１４１で規定するクレム吸水度試験に準じて、水を市販のサラダ油に置き換えて、ＪＩＳ  Ｐ  ８１１１で規定する標準条件下で測定した吸油度が、７．０ｍｍ以下であることを特徴とする衛生用紙。
【０００７】
ここで、さらに詳しくは、本発明にいうソフトネスとは、「ソフトネス」は巾５．０ｍｍの隙間に紙１０ｃｍ巾の紙を端子により押し込む時の抵抗値（縦横の平均値）を表すものである。また米坪はＪＩＳに基づく測定値である。
【０００８】
本発明の吸油度は、ＪＩＳ  Ｐ  ８１４１で規定するクレム吸水度試験に準じて、水を市販のサラダ油（日清製油株式会社製）に置き換えて、ＪＩＳ  Ｐ  ８１１１で規定する標準条件下で測定する。ただし、測定時間は６０秒、紙の流れは縦方向（製造ラインにおける流れ方向）とする。すなわち、試験片の寸法を縦方向に６０秒、紙の下端をサラダ油に浸漬し、６０秒後に上昇するサラダ油が上昇した高さを測定し、試験片１０点の平均値とするものである。
【０００９】
（作用効果）
従来の市販品では、ソフトネスが大きな値を示す。本発明に従ってソフトネスをかかる小さい値の範囲とすることにより、柔らか感に優れた衛生用紙とすることができる。
【００１０】
さらに、従来の市販品では、水分率が低い。これに対して、本発明に従って、水分率を高くすると、主にしっとり感を中心とした肌触り性に優れたものとなる。また、特に、肌との接触にあたり角質層表面の皮脂が少なくても角質層内の水分を奪い難い。よって頻繁に肌に接触させても肌が荒れたり赤くなったりしにくい。
【００１１】
しかも、本発明に従って、吸油度を十分に低くすることによって、衛生用紙が角質層表面の皮脂を奪い難くなり、皮脂により角質層内の水分が保護される結果、肌が荒れたり赤くなったりし難くなる。
【００１２】
＜請求項２記載の発明＞
前記薬液は、有効成分を６０〜１００重量％含み、かつ有効成分中に、保湿剤を９５．５〜９７．０重量％および柔軟剤を３．０〜４．５重量％含むものであり、
前記薬液のｐＨは５．０〜６．０であり、
前記柔軟剤はアニオン系界面活性剤、カチオン系界面活性剤、非イオン系界面活性剤及び両性イオン界面活性剤のなかから選択されたものであり、
前記薬液は、基材紙の単位容積当たり４６．０〜１６０．０ｍｇ／ｃｍ3含有されている、請求項１記載の衛生用紙。
【００１３】
（作用効果）
薬液としては、柔軟剤及び保湿剤を含む。また、ｐＨが５．０〜６．０、より好適には５．３〜５．７の弱酸性とされたものであると、肌に対して接触させても肌がアルカリ性になることがなく、薬液ｐＨの影響による肌荒れを効果的に防止できる。
【００１４】
＜請求項３記載の発明＞
前記薬液が、さらに、ビタミンＥ及びビタミンＣを含有する請求項１または２記載の衛生用紙。
【００１５】
（作用効果）
薬液に用いる抗酸化剤として、ビタミンＣ、ビタミンＥ等を用いる。この場合、衛生用紙の保湿、皮膚の酸化防止等の効果が発揮される。特にビタミンＣ、Ｅの両方を用いると、ビタミンＣがビタミンＥの助剤として働き、ビタミンＥの抗酸化作用をより長く維持できるようになる。ビタミンＥは還元力の強い成分で、活性酸素・フリーラジカルを消去したり過酸化脂質の発生を防ぐ抗酸化作用がある。よってビタミンＥは薬液の安定化剤として機能するとともに、衛生用紙を使用した者の肌に付与されると当該肌の皮脂の酸化防止効果および血行促進効果が発揮される。また保湿機能も有る。一方、ビタミンＣはビタミンＥと同じく皮脂の抗酸化作用がある。またビタミンＣはビタミンＥを還元する作用があるため、ビタミンＣ，Ｅの両方を用いると、ビタミンＣがビタミンＥの助剤として働き、活性酸素などにより酸化されたビタミンＥを還元し、ビタミンＥの強力な皮脂の抗酸化作用を維持する作用が奏せられる。
【発明の効果】
【００１６】
本発明によれば、使用に際して、しっとり感、柔らかさなどの肌触り性に優れるとともに、頻繁に肌と接触させても肌がヒリヒリし難い、肌が赤くなり難い衛生用紙となる。
【発明を実施するための最良の形態】
【００１７】
以下、本発明の実施の形態について詳説する。
＜衛生用紙の物性に関する要件＞
本発明の衛生用紙は、ＪＩＳ  Ｐ  ８１１１で規定する条件で調湿し、ＪＩＳ  Ｐ  ８１２７で測定した水分率が９．５０〜１５．００％、特に、９．５０〜１２．００％が好適である。
【００１８】
前述のとおり本発明の衛生用紙は、パルプ基材紙に柔軟剤及び保湿剤を含む薬液を含有する。
【００１９】
吸油度は７．０ｍｍ以下、特に４．０〜６．５とするのが好ましい。基材紙の紙容積当たりの薬液含有量が４６．０〜１６０．０ｍｇ／ｃｍ3、特に４８．０〜６０．０ｍｇ／ｃｍ3となるように、薬液を基材紙に対し塗布（他の薬液付与方法を採ることもできる）して衛生用紙を製造することができる。
【００２０】
紙の縦方向で測定した薬液含有量としては、ソックスレー抽出器により、試料約１０ｇを、エタノール・ベンゼン溶剤（容積比１：１）１２０〜１４０ｍｌによる温浴上で抽出液が軽く沸騰を保つ程度に４時間加熱し抽出する。その後、１５０±２℃の恒温乾燥器中に９０分放置し、抽出分の重量を測定し、試料の絶乾燥重量により除してその比率を％で求める。薬液塗布量の算出は、次式とする。
薬液塗布量＝米坪（１プライ当り）×２（プライ）×薬液含有量（％）×１０００÷（単位面積当りの容積）  ただし、単位面積当りの容積は紙厚（μｍ）÷１００００×１００×１００である。
薬液含有量が１６０．０ｍｇ／ｃｍ3を超えるとべとつき感のある衛生用紙となり、使用者に不快感を与えてしまう。
【００２１】
ＪＩＳ  Ｐ  ８１１３で規定する、乾燥時の縦方向の引張強さが６０〜１６０Ｎ／ｍとされ、かつ乾燥時の横方向の引張強さが２０〜６０Ｎ／ｍであり、かつこれら乾燥時の横方向の引張強さに対する縦方向の引張強さの縦横比が１．５〜５．０とされる。
湿潤引張強さとしては、縦が３０．０〜６０．０Ｎ／ｍが、横が１０．０〜３０．０Ｎ／ｍがそれぞれ望ましい。
【００２２】
純曲げ試験機による曲げ硬さＢが０．００４０〜０．００６０ｇ・ｃｍ2／ｃｍが望ましい。
ここに曲げ硬さＢとは、幅２０ｃｍの紙試料をチャック間隔を１ｃｍとし、一方を常に円弧を保つ純曲げにより最大曲率２.５ｃｍ-1まで表側に曲げた後に元に戻し、次に最大曲率−２.５ｃｍ-1まで裏側に曲げた後に元に戻したときにおける、曲率と曲げモーメントとの関係において、曲率０.５〜１.５ｃｍ-1の間の平均傾斜であらわされるものである。さらに詳細には、カトーテック株式会社製「自動化純曲げ試験機  ＫＥＳＦＢ２−ＡＵＴＯ−Ａ」を用い、図１に示すように、幅２０ｃｍの紙試料をチャック間隔を１ｃｍとし、一方を常に円弧を保つ純曲げにより最大曲率２.５ｃｍ-1まで表側に曲げた後に元に戻し、次に最大曲率−２.５ｃｍ-1まで裏側に曲げた後に元に戻したときにおける、曲率と曲げモーメントとの関係を評価する。この関係は、図２に示すヒスレリシス曲線上の値として得られ、曲率０.５〜１.５ｃｍ-1の間の平均傾斜であらわされる曲げ硬さＢの縦と横の平均値（Ｂ平均）が本発明の曲げ硬さＢである。曲げ硬さＢの平均値（Ｂ平均）が大きいほど曲げ難く固い。
従来の市販品では、曲げ硬さＢが大きな値を示す。これに対して、本発明に従って、曲げ硬さＢを小さい値とすると、主に柔らかさを中心とした肌触り性に優れたものとなる。また、パルプ基材紙に保湿剤及び柔軟剤を含浸させるとき、潤い感や柔らか感が助長される利点がある。
【００２３】
＜基材紙＞
基材紙としては、公知のものを問題なく使用することができるが、特にパルプ原料におけるＮＢＫＰ配合率が３０．０〜８０．０％（ＪＩＳ  Ｐ  ８１２０）、特に５０．０〜７０．０であるものが好適である。米坪はＪＩＳ  Ｐ  ８１２４で１０．０〜３５．０ｇ／ｃｍ2が望ましい。紙厚は２プライで１３０〜２００μｍが望ましい。クレープ率は１５．０〜２６．０が望ましい。
【００２４】
＜薬液＞
薬液としては、公知のものを問題なく使用することができるが、特にｐＨが５．０〜６．０、より好適には５．３〜５．７の弱酸性とされたものであると、肌に対して接触させても肌がアルカリ性になることがなく、薬液ｐＨの影響による肌荒れを効果的に防止できる。ｐＨの調整法としては、酸性または塩基性のｐＨ調整剤を薬液に添加することにより行うことができ、薬液が強酸性の場合には水酸化ナトリウム水溶液や水酸化カリウム水溶液を用いることができ、中性・アルカリ性の場合にはクエン酸やリンゴ酸、乳酸を用いることができる。
【００２５】
本発明における薬液の成分としては、保湿剤、柔軟剤および抗酸化剤のなかから適宜選択して用いることができるが、全て含有させるのが特に好ましい。保湿剤としては多価アルコール、ソルビトール、グリコール系溶剤を好適に使用できる。これらにより衛生用紙の潤いが十分なものとなる。またこれらとともにコラーゲンを用いることができ、この場合肌に潤いを与える効果も奏せられる。
【００２６】
柔軟剤としてはアニオン系界面活性剤、非イオン系界面活性剤、カチオン系界面活性剤および両性イオン界面活性剤のなかから適宜選択して用いることができ、特にアニオン系界面活性剤が好適である。アニオン系界面活性剤を用いた場合、基材紙のコシ（曲げ硬さ）を前述の範囲まで低下させることができ、もって保湿剤による潤い感や柔軟剤による柔らか感を助長することができる。アニオン系界面活性剤としては、カルボン酸塩系、スルホン酸塩系、硫酸エステル塩系、燐酸エステル塩系などを用いることができる。特にアルキル燐酸エステル塩が好ましい。
【００２７】
非イオン界面活性剤としては、ソルビタン脂肪酸エステル、ジエチレングリコールモノステアレート、ジエチレングリコールモノオレエート、グリセリルモノステアレート、グリセリルモノオレート、プロピレングリコールモノステアレートなどの多価アルコールモノ脂肪酸エステル、Ｎ−（３−オレイロシキ−２−ヒドロキシプロピル）ジエタノールアミン、ポリオキシエチレン硬化ヒマシ油、ポリオキシエチレンソルビット密ロウ、ポリオキシエチレンソルビタンセスキステアレート、ポリオキシエチレンモノオレエート、ポリオキシエチレンモノラウレート、ポリオキシエチレンセチルエーテル、ポリオキシエチレンラウリルエーテルなどを用いることができる。
【００２８】
カチオン界面活性剤としては、第４級アンモニウム塩、アミン塩、またはアミンなどをもちいることができる。また、両性イオン界面活性剤としては、カルボキシ、スルホネート、サルフェートを含有する第２級または第３級アミンの脂肪族誘導体、または複素環式第２級または第３級アミンの脂肪族誘導体などを用いることが出来る。
【００２９】
他方、本発明の薬液に用いる抗酸化剤としては、ビタミンＣ、ビタミンＥ等を用いることができる。この場合、衛生用紙の保湿、皮膚の酸化防止等の効果が発揮される。特にビタミンＣ、Ｅの両方を用いると、ビタミンＣがビタミンＥの助剤として働き、ビタミンＥの抗酸化作用をより長く維持できるようになる。ビタミンＥは還元力の強い成分で、活性酸素・フリーラジカルを消去したり過酸化脂質の発生を防ぐ抗酸化作用がある。よってビタミンＥは薬液の安定化剤として機能するとともに、衛生用紙を使用した者の肌に付与されると当該肌の皮脂の酸化防止効果および血行促進効果が発揮される。また保湿機能も有る。一方、ビタミンＣはビタミンＥと同じく皮脂の抗酸化作用がある。またビタミンＣはビタミンＥを還元する作用があるため、ビタミンＣ，Ｅの両方を用いると、ビタミンＣがビタミンＥの助剤として働き、活性酸素などにより酸化されたビタミンＥを還元し、ビタミンＥの強力な皮脂の抗酸化作用を維持する作用が奏せられる。
【００３０】
また、必要に応じてコラーゲンを添加することもでき、この場合肌に潤いを与える保湿効果が発揮されるとともに、薄葉紙に対しても保湿効果が発揮される。コラーゲンの添加量は適宜定めることができるが抗酸化剤と同レベルとするのが費用対効果の上で好ましい。
【００３１】
＜薬液の配合＞
前述の成分を用いる場合の薬液の好適な配合を下記に示す。
・有効成分  ６０〜１００重量％（特に８０〜１００重量％）
保湿剤  ９５〜１００重量％（特に９５．５〜９７．０重量％）
柔軟剤  ０〜５重量％（特に３．０〜４．５重量％）
抗酸化剤  ０．０００００１〜０．００１重量％
・水分  ０〜４０重量％
【００３２】
＜他の物性＞
圧縮特性：Ｔｍ、Ｔｏ及び（Ｔｏ−Ｔｍ）について
この圧縮特性の試験には、カトーテック株式会社製「ハンディー圧縮試験機  ＫＥＳ−Ｇ５」を用い、圧縮面積２ｃｍ2の円形平面をもつ鋼板間で、最大圧縮荷重５０ｇ／ｃｍ2まで紙試料を圧縮し、元に戻すときの圧縮特性を評価するものである。このときに示される圧縮特性は図３に示す関係として表すことができる。荷重５０ｇ／ｃｍ2での厚みＴｍは；１プライで０.１６０ｍｍ以上が望ましい。荷重０．５ｇ／ｃｍ2での厚みＴｏは、１プライで０.３５０ｍｍ以下が望ましい。荷重０．５ｇ／ｃｍ2での厚みＴｏと５０ｇ／ｃｍ2での厚みＴｍの変位差（Ｔｏ−Ｔｍ）は、１プライで０．２００ｍｍ以下が望ましい。さらに、Ｔｍ／（Ｔｏ−Ｔｍ）は、０．８００〜１．５００が望ましい。
【００３３】
表面特性：ＭＭＤ及びＭＩＵについて
この表面特性の試験には、カトーテック株式会社製「摩擦感テスター  ＫＥＳＳＥ」を用いることができる。測定に際しては、図４に示すように、横断面直径０.５ｍｍのピアノ線からなり、その接触面の長さは５ｍｍである摩擦子を、紙試料に１０ｇの接触圧で接触させながら、移動方向に２０ｇ／ｃｍの張力を紙試料に与えつつ、０.１ｃｍ／秒の速度で２ｃｍ移動させたときの、摩擦係数を測定するものである。
摩擦係数の平均偏差（摩擦子を移動させたときの表面厚さの変動、すなわち摩擦係数を摩擦距離（移動距離＝２ｃｍ）で割った値）ＭＭＤは、０．０１８０〜０．０２５０が望ましい。紙の平均摩擦係数ＭＩＵとしては、０．４０００〜０．５０００が望ましい。
【００３４】
＜衛生用紙の用途＞
本発明の衛生用紙は、ティシュペーパーやトイレットペーパー等のように皮膚を擦る用途のものに好適であるが、他の用途にも用いることができる。
【実施例】
【００３５】
表１及び表２に示すように各種ティシュペーパー（本発明に係る実施例、従来品、および市販品Ａ〜Ｄ）について各種物性の測定・算出および官能評価を行った。測定・算出・評価方法を下記に示す。なお、物性の測定はＪＩＳ  Ｐ  ８１１１に規定される条件下で行った。
(1)  米坪（１プライ）の測定：ＪＩＳ  Ｐ  ８１２４
(2)  紙厚（２プライ）の測定：紙厚は、ＪＩＳ  Ｐ  ８１１１の条件下で、尾崎製作所ダイヤルシックネスゲージ「ＰＥＡＣＯＣＫ  Ｇ型」を用いて測定する。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料（ティシュペーパー）を試験台の上におき、プランジャーをゆっくりと下ろしそのときのゲージを読み取る。このとき、プランジャーをのせるだけとする。なお、測定は１枚で行い、１０回の平均値とする。
(3)  密度の算出：米坪×２／（紙厚／１００００×１００×１００）
(4)  薬液含有量：前掲
(5)  紙の単位容積当たりの薬液含有量：前掲
(6)  吸油度：前掲
(7)  ＮＢＫＰ配合量：ＪＩＳ  Ｐ  ８１２０
(8)  クレープ率：（（製紙時のドライヤーの周速）−（リール周速））／（製紙時のドライヤーの周速）×１００
(9)  引張強さ：ＪＩＳ  Ｐ  ８１１３
(10)  引張強さの縦横比：縦方向引張強さ／横方向引張強さ
(11)  伸び率：縦方向の引張試験における破断時の伸び
(12)  水分率：ＪＩＳ  Ｐ  ８１２７
(13)  ソフトネス：ハンドルオメーター
(14)  曲げ硬さＢ：純曲げ試験機（カトーテック社製「自動化純曲げ試験機  ＫＥＳＦＢ２−ＡＵＴＯ−Ａ」）。なお曲げ硬さＢが大きいほど曲げ難く固い。
(15)  Ｔｏ、Ｔｍ：圧縮試験機（カトーテック社製「ハンディー圧縮試験機  ＫＥＳ−Ｇ５」）。なおＴｏ−Ｔｍが大きいほど、ふんわりとした紙質であることを示す。
(16)   平均摩擦係数ＭＩＵ、摩擦距離ＭＭＤ：表面特性試験機（カトーテック社製「摩擦感テスター  ＫＥＳＳＥ」）。
(17)  官能評価：鼻を所定回数かんだ際に鼻が痛くなり難いか否かを５段階で評価。男女２０名による平均値。
【００３６】
【表１】
2005113368.tif 000002
【００３７】
【表２】
2005113368.tif 000003
【００３８】
【表３】
2005113368.tif 000004
【００３９】
表１〜３に示されるように、本発明に係る実施例は、他のものと比較して吸油度が低く油分を吸収し難いことから、官能評価において著しく優秀な結果が得られた。
【図面の簡単な説明】
【００４０】
【図１】曲げ硬さ試験方法の説明図である。
【図２】曲げモーメントと曲率との関係図である。
【図３】圧縮特性の関係図である。
【図４】表面特性の試験方法の説明図である。
【図１】
2005113368.tif 000005
【図２】
2005113368.tif 000006
【図３】
2005113368.tif 000007
【図４】
2005113368.tif 000008